(57)【要約】      （修正有）【課題】外出先などでバッテリ切れになりかけた場合、携帯電話機と共にノートパソコン等の情報端末を携帯していなくても、自分の携帯電話機に充電することができる機会を格段に増やすこととなる電力移動システムを提供する。【解決手段】電力移動システムは、それぞれ電池を内蔵する複数の携帯電話機１０００、２０００で構成され、携帯電話機１０００は、他の携帯電話機２０００に対して電力を供給する供給手段１８００を持ち、他の携帯電話機２０００は、前記携帯電話機１０００から供給された電力を電池２０１０に蓄電する充電手段２８００を持つ。【選択図】図２
2010016849.tif 000002
【特許請求の範囲】
【請求項１】
それぞれ電池を内蔵する第１携帯電話機と第２携帯電話機とで構成される電力移動システムであって、
第１携帯電話機は、第２携帯電話機に対して電力を供給する供給手段を備え、
第２携帯電話機は、前記第１携帯電話機から供給された電力を電池に蓄電する充電手段を備え、
前記第２携帯電話機は、更に、内蔵する電池の電力残量を検出する検出手段と、
前記検出手段で検出した電力残量に関する情報を表示し、ユーザが充電を所望する電力量を示す充電情報を取得する手段と、
前記電力残量と前記充電情報とに基づいて、要求する電力量を決定し、決定した電力量を表す情報を第１携帯電話機に送信する送信手段とを備え、
前記第１携帯電話機は、前記送信手段で送信された情報を受信する手段を備え、
前記供給手段は、前記受信した情報に基づき決定した電力量の電力を、第２携帯電話機に供給することを特徴とする電力移動システム。
【請求項２】
前記表示する電力残量に関する情報とは、前記検出手段により検出した電力残量によって待ち受け状態が維持される時間であることを特徴とする請求項１記載の電力移動システム。
【請求項３】
前記第１携帯電話機および前記第２携帯電話機は、更に、それぞれ外部出力端子を有し、
前記供給手段は、前記端子を通じて電力を供給することを特徴とする請求項１又は２に記載の電力移動システム。
【請求項４】
電池を内蔵する携帯電話機であって、
前記電池の電力残量を検出する検出手段と、
前記検出手段で検出した電力残量に関する情報を表示し、ユーザが充電を所望する電力量を示す充電情報を取得する手段と、
前記電力残量と前記充電情報とに基づいて、蓄電する電力量を決定し、外部から供給される電力を、内蔵する電池に蓄電する充電手段とを備えることを特徴とする携帯電話機。
【請求項５】
前記決定した電力量を表す情報を外部に送信する送信手段を備え、
前記充電手段は、前記送信した電力量に基づいて前記外部から送信された電力量の電力を、内蔵する電池に蓄電する請求項４記載の携帯電話機。
【発明の詳細な説明】
【技術分野】
【０００１】
本発明は、内蔵する電池で動作する携帯電話機に関し、特に内蔵する電池を充電する際の利便性向上技術に関する。
【背景技術】
【０００２】
近年、携帯電話機は、本来の機能である音声通信機能のほかに、電子メール通信機能、テレビ・ラジオ放送受信機能、音楽データの記録再生機能など、様々な機能が搭載されるに至っている。
【０００３】
それらの機能を利用する際、通常は、内蔵するバッテリからの電力で動作している。したがって、内蔵するバッテリの充電は、定期的に行う必要がある。
【０００４】
しかしながら、使用する機能の種類、使用頻度によって、消費する電力量が異なり、予想外に電力を消費する場合や、充電するのを忘れて外出してしまう場合などがある。
【０００５】
このような場合、自機用の充電器を持っていないことがほとんどであり、また持っていたとしても外部電源が近くにあるとは限らない。
【０００６】
このような場合を想定し、携帯電話機と共に携帯していることが多いノートパソコン等の情報端末から充電を行う技術が開発されている（特許文献１参照）。
【先行技術文献】
【特許文献】
【０００７】
【特許文献１】特開２００１−１８６６７６号公報
【発明の概要】
【発明が解決しようとする課題】
【０００８】
しかし、携帯電話機のユーザの多くは、情報端末を共に持ち歩いているとは限らず、また、携帯電話機自体の多機能化、高性能化が進むにつれ、携帯電話機のみで様々な作業が可能となることが予想され、他の情報端末を共に携帯する機会は減ると考えられる。
【０００９】
またさらに、携帯電話機の機能が多様化するに従い、バッテリ切れは、物が買えない、電車に乗れない等、大変な不便を強いられることになりかねない。
【００１０】
そこで、本発明は、外出先などでバッテリ切れになりかけた場合、携帯電話機と共にノートパソコン等の情報端末を携帯していなくても、自分の携帯電話機に充電することができる機会を格段に増やすこととなる電力移動システムの提供を目的とする。
【課題を解決するための手段】
【００１１】
上記課題を解決する為に、本発明の電力移動システムは、それぞれ電池を内蔵する第１携帯電話機と第２携帯電話機とで構成される電力移動システムであって、第１携帯電話機は、第２携帯電話機に対して電力を供給する供給手段を備え、第２携帯電話機は、前記第１携帯電話機から供給された電力を電池に蓄電する充電手段を備えることを特徴とする。
本発明に係る電力移動システムは、上述の構成を備えることにより、他の携帯電話機から充電することができるので、回りに電源がなくても、他の携帯電話機がありさえすれば充電することができるようになる。
【００１２】
すなわち、外出先で、バッテリ切れになったときのみならず、遭難などの非常時に、複数の携帯電話機を所持しているが、外との連絡を保つ為に１つの携帯電話機に電力を集めたい場合や、自分の携帯電話機に装着できる他のバッテリがない場合などにも有効である。
【００１３】
また、前記第１携帯電話機は、更に、内蔵する電池の電力残量を検出する検出手段と、前記検出手段で検出した電力残量に関する情報を表示し、ユーザが供給を所望する電力量を示す供給情報を取得する手段と、前記電力残量と前記供給情報とに基づいて、供給する電力量を決定する決定手段とを備え、前記供給手段は、第２携帯電話機に対して前記決定手段で決定した電力量の電力を供給することとしてもよい。
【００１４】
これにより、供給する電力をユーザが決めることができるので、自分の携帯電話機がバッテリ切れになるなどの不都合を防ぐことできるようになる。
【００１５】
また、直ぐに帰宅するなどの理由で、相手に自機の電力残量の全てを供給することも可能となる。
【００１６】
また、前記第２携帯電話機は、更に、内蔵する電池の電力残量を検出する検出手段と、前記検出手段で検出した電力残量に関する情報を表示し、ユーザが充電を所望する電力量を示す充電情報を取得する手段と、前記電力残量と前記充電情報とに基づいて、要求する電力量を決定し、決定した電力量を表す情報を第１携帯電話機に送信する送信手段とを備え、前記第１携帯電話機は、前記送信手段で送信された情報を受信する手段を備え、前記供給手段は、前記受信した情報に基づき決定した電力量の電力を、第２携帯電話機に供給することとしてもよい。
【００１７】
これにより、充電する電力をユーザが決めることができるので、自分の携帯電話機に必要最小限度の電力のみを充電することできるようになる。
【００１８】
例えば、供給する側も供給される側も、自分達の今後の予定を考慮して電力をやり取りすることができるので、必要以上に電力を提供させてしまって相手の携帯電話機がバッテリ切れになることなどを防ぐことが出来る。
【００１９】
また、前記表示する電力残量に関する情報とは、前記検出手段により検出した電力残量によって待ち受け状態が維持される時間であることとしてもよい。
【００２０】
これにより、電力残量で維持できる待ち受け時間を知ることができるので、供給したり、供給されたりする電力を容易に決定することができるようになる。
【００２１】
また、前記第１携帯電話機および前記第２携帯電話機は、更に、それぞれ外部出力端子を有し、前記供給手段は、前記端子を通じて電力を供給することとしてもよい。
【００２２】
これにより、ケーブル等で接続して電力移動を行うことができるので、効率的に電力を移動することができるようになる。
【００２３】
また、本発明に係る携帯電話機は、電池を内蔵する携帯電話機であって、前記電池の電力残量を検出する検出手段と、前記検出手段で検出した電力残量に関する情報を表示し、ユーザが供給を所望する電力量を示す供給情報を取得する手段と、前記電力残量と前記供給情報とに基づいて、供給する電力量を決定する決定手段と、前記決定した電力量の電力を外部に供給する手段とを備えることを特徴とする。
【００２４】
また、本発明に係る携帯電話機は、電池を内蔵する携帯電話機であって、前記電池の電力残量を検出する検出手段と、前記検出手段で検出した電力残量に関する情報を表示し、ユーザが充電を所望する電力量を示す充電情報を取得する手段と、前記電力残量と前記充電情報とに基づいて、蓄電する電力量を決定し、外部から供給される電力を、内蔵する電池に蓄電する充電手段とを備えることを特徴とする。
これにより、電力移動システムの構築が、容易にできるようになる。
【図面の簡単な説明】
【００２５】
【図１】電力移動システム実施時の、携帯電話機同士をケーブルで接続した様子を表す図である。
【図２】本発明に係る電力移動システムの構成を示す機能ブロック図である。
【図３】図３（ａ）は、第１携帯電話機の電池情報の構成および内容例を示す図であり、  図３（ｂ）は、第１携帯電話機の、供給する電力量の指定画面の例を示す図である。
【図４】図４（ａ）は、第２携帯電話機の電池情報の構成および内容例を示す図であり、  図４（ｂ）は、第２携帯電話機の、充電する電力量の指定画面の例を示す図である。
【図５】電力移動システムの処理を示すフローチャートである。
【発明を実施するための形態】
【００２６】
＜概要＞
本発明に係る電力移動システムは、携帯電話機間で電力のやり取りを行うシステムである。すなわち、充電が必要な携帯電話機が、他の携帯電話機から電力を供給してもらうことが可能なシステムである。
【００２７】
現在、携帯電話機は、多くの人が携帯していることから、携帯電話機間で充電ができれば、バッテリ切れになりそうな時に充電できる機会を格段に増やすことが可能となる。
【００２８】
また、本発明は、携帯電話機が供給する電力量や、供給して欲しい電力量を指定して、電力のやり取りができるものである。
【００２９】
移動する電力量を決めることにより、お互いに再度のバッテリ切れを防ぐことが可能となる。本実施形態では、携帯電話機同士をケーブルで接続して、電力を移動する場合について説明する。
【００３０】
＜構成＞
以下、本発明の実施形態に係る電力移動システムについて図１および図２を用いて説明する。
【００３１】
図１は、携帯電話機同士をケーブルで接続した様子を表す図である。
ここでは、携帯電話機１０００と携帯電話機２０００とを、ケーブル３０００で接続している。
【００３２】
ケーブル３０００は、電力の移動のみならず、データ通信も可能なものであるとする。
次に、図２は、本発明に係る電力移動システムの構成を示す機能ブロック図である。
第１携帯電話機１０００は、送受信部１００１、マイク１００２、スピーカ１００３、着信報知部１００４、制御部１１００、操作部１２００、表示部１３００、外部通信部１４００、電池情報記憶部１５００、電源制御部１６００、電力残量検出部１７００、充電用電源作成部１８００、電力移動接続部１９００および電池１０１０で構成される。
【００３３】
また、第２携帯電話機２０００は、送受信部２００１、マイク２００２、スピーカ２００３、着信報知部２００４、制御部２１００、操作部２２００、表示部２３００、外部通信部２４００、電池情報記憶部２５００、電源制御部２６００、電力残量検出部２７００、充電部２８００、電力移動接続部２９００および電池２０１０で構成される。
第１携帯電話機１０００と第２携帯電話機２０００とは、基本的には同じような構成を備えるが、第２携帯電話機２０００の充電部２８００が、第１携帯電話機１０００では充電用電源作成部１８００となる点のみが異なる。
【００３４】
これは、本実施形態では、第２携帯電話機２０００が、電力を供給してもらう側であり、第１携帯電話機１０００が、電力を供給する側である事に起因する構成の違いである。
尚、第１携帯電話機および第２携帯電話機共に、電力を供給してもらう側にも、電力を供給する側にもなれるものとする。すなわち、充電部２８００と電源作成部１８００の双方を有するが、ここでは、説明の便宜上、片方の役割を果たす為に必要な機能部のみを記載してある。
【００３５】
以下、各機能部について説明する。説明に際して、第１携帯電話機１０００と第２携帯電話機２０００とで機能が共通する機能部は、一緒に説明する。
【００３６】
送受信部（１００１、２００１）は、送信する信号を制御部（１１００、２１００）から受け取り、送信用の所定の形態に変換し、変換した送信信号をアンテナ（図示していない）を介して送信する機能と、アンテナにより受信された信号を復調などの処理を行い、制御部（１１００、２１００）に送る機能とを有する。
【００３７】
マイク（１００２、２００２）は、外部音声を入力する機能を有し、スピーカ（１００３、２００３）は、音声信号を出力する機能を有する。
【００３８】
また、着信報知部（１００４、２００４）は、リンガーやバイブレータ等を通して、着信等をユーザに知らせる機能を有する。
【００３９】
制御部（１１００、２１００）は、各機能部同士のデータの受け渡しおよび制御などを行う機能を有する。また、本実施形態では、電力移動を行う際に、電源制御部（１６００、２６００）に指示を出す機能も有する。
【００４０】
操作部（１２００、２２００）は、ボタン、キーなどで構成され、ボタンの押下などのユーザの指示を受け取り、制御部（１６００、２６００）に通知する機能を有する。
【００４１】
表示部（１３００、２３００）は、いわゆるディスプレイであり、電話番号やメニューなどの様々な情報を表示する機能を有する。
【００４２】
次に、外部通信部（１４００、２４００）は、他の携帯電話機との通信を行う機能を有する。この通信部は、通常の携帯電話機が備えている基地局との通信を行うものではない。また、電力を移動するものではない。
【００４３】
この外部通信部（１４００、２４００）による通信は、ケーブル３０００（図１参照）で接続して行うものとする。
【００４４】
電池情報記憶部（１５００、２５００）は、携帯電話機の内蔵電池の容量など、内蔵電池に関した情報を記録する機能を有する。記録している情報については、図４および図５を用いて、後で説明する。
【００４５】
電力残量検出部（１７００、２７００）は、電池（１０１０、２０１０）の残量を検知する機能を有する。
【００４６】
電力移動接続部（１９００、２９００）は、他の携帯電話機と電力をやり取りする機能を有する。具体的には、ケーブルで電力を移動する場合には、ケーブルの外部端子等をいう。
【００４７】
第１携帯電話機１０００の電源制御部１６００は、供給する電力量を決定し、充電用電源作成部１８００に指示を出す等の機能を有する。
【００４８】
一方、第２携帯電話機２０００の電源制御部２６００は、要求する電力量を決定したり、充電部２８００に充電の指示を出す等の機能を有する。
【００４９】
これらの電源制御部（１６００，２６００）は、電力を供給する側か供給される側かで、その機能を選択する。電力移動システムの立ち上げ時に「電力供給依頼」をメニューから選択した側が、電力を供給される側、本実施形態では第２携帯電話機となる。
【００５０】
第１携帯電話機１０００の充電用電源作成部１８００は、内蔵する電池電源を使用し、昇圧回路にて供給する電源を作成する機能を有する。本実施形態では、第２携帯電話機２０００の電池２０１０の電圧は、予め一定の範囲内であることとし、昇圧回路はその電圧よりも高い電圧に昇圧する。
【００５１】
第２携帯電話機２０００の充電部２８００は、電池２０１０への充電を行う機能を有する。具体的には、充電用の回路が該当する。
【００５２】
ここで電源制御部１６００等の各部による各処理の全部または一部は、ＣＰＵ（図示していない）が各種プログラムを実行することにより実現されるものである。
【００５３】
＜データ＞
以下、電力移動システムが用いる主なデータについて、図３および図４を用いて説明する。
【００５４】
図３（ａ）は、第１携帯電話機の電池情報の構成および内容例を示す図であり、  図３（ｂ）は、第１携帯電話機の、供給する電力量の指定画面の例を示す図である。
【００５５】
まず、図３（ａ）の第１携帯電話機１０００の電池情報１５１０について説明する。
この電池情報１５１０は、予め作成されているものであり、電池情報記憶部１５００に記憶されている。この内容は、内蔵している電池の容量や、携帯電話機での電力消費量などにより、機種によって異なるものである。
【００５６】
電池情報１５１０は、電力残量１５１１、全体比１５１２および待受時間１５１３で構成される。電力残量１５１１は、内蔵する電池１０１０の電力の残量を表している。単位は、ｍＡｈ（ミリアンペアアワー）である。全体比１５１２は、電力残量検出部１７００が検出した電力残量の、満充電の場合に対する比を表し、単位は％（パーセント）である。
【００５７】
また、待受時間１５１３は、電力残量１５１１で表される電力量で維持できる待ち受け時間の長さを表しており、単位は時間である。次に、図３（ｂ）の第１携帯電話機の画面１３１０について説明する。画面１３１０には、現時点での電池の残量に関する情報と、供給できる電力の選択肢１３１１が表示されている。選択肢１３１１には、供給できる電力のパーセントと、電力を供給した後に残る電力量で可能な待ち受け時間とが表示される。
【００５８】
供給できる電力量をパーセントで示すのは、ユーザは自機の電池容量を覚えている場合はまれであると考えられ、自機の電力残量を把握し易くする為である。また、電力を供給した後の待ち受け時間を示すのは、供給する電力量を選択するときの指針となるものを提供する為である。もちろん、他の情報でもよい。この選択肢の１つをフォーカスし、確定キー１３１３で選択する。
【００５９】
例では、現時点での電池の残量に関する情報は「残量  ７５％」、「待受時間  ２７０時間」であり、供給できる電力の選択肢は「２５％：１８０時間」、「５０％：９０時間」、「７５％：０時間」であり、ユーザは「５０％：９０時間」をフォーカスしている。これは、５０％の電力を供給したとしたら、あと９０時間は待ち受け状態を維持できることを示す。
【００６０】
尚、本実施形態では、電力残量は切捨てで扱うものとする。例えば、実際に検出された電力残量が６５０ｍＡｈであった場合は、６００ｍＡｈとして、電力残量を表示する（以下、同様である）。次に、図４（ａ）は、第２携帯電話機の電池情報の構成および内容例を示す図であり、  図４（ｂ）は、第２携帯電話機の、充電する電力量の指定画面の例を示す図である。
【００６１】
図４（ａ）の第２携帯電話機２０００の電池情報２５１０は、図３（ａ）に示す第１携帯電話機１０００の電池情報１５１０と同様に、予め作成されているものであり、電池情報記憶部２５００に記憶されている。電池情報２５１０は、電力残量２５１１、全体比２５１２および待受時間２５１３で構成され、その内容は、それぞれ、電池情報１５１０の電力残量１５１１、全体比１５１２および待受時間１５１３（図３（ａ）参照）と同様である。
【００６２】
ただし、第２携帯電話機２０００の電池２０１０の容量は第１携帯電話機１０００の電池１０１０とは異なっている。電力残量２５１１を表す間隔は、２００ｍＡｈであるが、他の間隔であってもよく、機種に依存する。次に、図４（ｂ）の第２携帯電話機の画面２３１０について説明する。画面２３１０は、現時点での電池の残量に関する情報と、第１携帯電話機１０００が供給してもよいとした供給電力２３１１と、この電力を充電した場合の充電後情報２３１２とが表示されている。
【００６３】
ユーザは、供給電力２３１１の供給を依頼したい場合は、ＯＫボタン２３１３を押下する。例では、現時点での電池の残量に関する情報は「残量  ２０％」、「待受時間  ８０時間」であり、提供してもらえる供給電力２３１１は「４００ｍＡｈ」、供給電力を充電した後の電池の残量は、「６０％：２４０時間」である。
【００６４】
＜動作＞
以下、上述した第１携帯電話機１０００と第２携帯電話機の動作について図５を用いて説明する。図５は、電力移動システムの処理を示すフローチャートである。
まず、電池残量が少なくなってきた第２携帯電話機２０００のユーザは、自機の第２携帯電話機２０００と第１携帯電話機１０００とをケーブル３０００で接続する（図１参照）。
【００６５】
次に、第２携帯電話機２０００の操作部２２００を操作し、表示部２３００であるディスプレイにメニューを表示させ、メニューから、「電力移動システム」を選択する。本実施形態では、メニューから本システムを動作させることとしているが、例えば、特定のボタンやキーを押下することのみで動作させることとしてもよい。
【００６６】
メニューから、「電力移動システム」を選択した旨を検知した操作部２２００は、その旨を制御部２１００に通知する。
【００６７】
通知を受けた制御部２１００は、外部通信部２４００に、第１携帯電話機との接続を依頼する。依頼を受けた外部通信部２４００は、ケーブル３０００を通して第１携帯電話機１０００の外部通信部１４００と接続を試みる（ステップＳ２００）。
【００６８】
一方、第１携帯電話機１０００では、第２携帯電話機１０００とケーブル３０００で接続された後、第２携帯電話機と同様に、「電力移動システム」を選択し、動作させる。
【００６９】
外部通信部１４００は、第２携帯電話機２０００から接続を求めてきていることを検知したら接続し（ステップＳ１００）、接続が完了した旨を制御部１１００に通知する。第２携帯電話機２０００の外部通信部２４００は、第１携帯電話機１０００との接続が完了したことを検知したら、その旨を制御部２１００に通知する。接続が完了した旨の通知を受けた制御部２１００は、その旨を表示部２３００に表示し、接続が完了した旨の表示を確認したユーザは、メニューから「電力供給依頼」を選択する。
【００７０】
「電力供給依頼」を選択した旨を操作部２２００から受け取った制御部２１００は、電力の供給依頼を外部通信部２４００を介して、第１携帯電話機に送信する（ステップＳ２１０）。
【００７１】
電力の供給依頼を外部通信部１４００を介して受け取った第１携帯電話機の制御部１１００は、その旨を表示部１３００に表示し、電力供給依頼を確認したユーザは、メニューから「電力供給了承」を選択する。
【００７２】
「電力供給了承」を選択した旨を操作部１２００から受け取った制御部１１００は、電力の供給了承を外部通信部１４００を介して、第２携帯電話機に送信する（ステップＳ１１０）。その後、第１携帯電話機の制御部１１００は、電源制御部１６００に電力移動の処理を行うよう依頼する。
【００７３】
依頼をうけた第１携帯電話機の電源制御部１６００は、まず、電力残量を検出するよう電力残量検出部１７００に依頼する。依頼をうけた電力残量検出部１７００は、電池１０１０の電力残量を検出し（ステップＳ１２０）、検出した残量を電源制御部１６００に渡す。
検出した電力残量を受け取った電源制御部１６００は、電池情報記憶部１５００から電池情報１５１０を読出し、電池の残量に関する情報と、供給できる電力の選択肢１３１１を作成し（図３（ｂ）参照）、制御部１１００を介して、表示部１３００に表示依頼を行う。依頼を受けた表示部１３００は、電池残量に関する情報などを表示する（ステップＳ１３０）。
【００７４】
ここで表示する選択肢１３１１は、供給可能な電力を表示する。従って、現在の残量が「２５％」であった場合は、選択肢１３１１は「２５％：０時間」の１つのみとなる。
ユーザは、表示された選択肢１３１１から１つ選択するか、又は、電力の供給をキャンセルする。キャンセルは、キャンセルボタンを押下するものとする。
【００７５】
第１携帯電話機のユーザ、すなわち電力供給側のユーザが、キャンセルした場合には、その旨を第２携帯電話機のユーザに伝え、電力移動システムを終了する。
【００７６】
ユーザが、表示された選択肢１３１１から１つを選択した場合には、制御部１１００を介して操作部１２００から、選択された選択肢が電源制御部１６００に通知される。選択された選択肢の通知を受けた電源制御部１６００は、供給する電力量を電池情報１５１０から求め、第２携帯電話機２０００に通知する（ステップＳ１４０）。また、一方、第１携帯電話機１０００から、「電力供給了承」を選択した旨の通知を受けた第２携帯電話機２０００の制御部２１００は、電源制御部２６００に電力移動の処理を行うよう依頼する。
【００７７】
依頼を受けた電源制御部２６００は、電力残量を検出するよう電力残量検出部２７００に依頼し（ステップＳ２２０）、表示部２３００に表示する（ステップＳ２３０）。このとき、画面２３１０（図４（ｂ）参照）の供給電力２３１１および充電後電力２３１２は、空欄となっている。
【００７８】
その後、第１携帯電話機１０００から、供給される電力量の通知を受けた第２携帯電話機２０００の制御部２１００は、その値を画面２３１０に表示するよう表示部２３００に依頼する。依頼を受けた表示部２３００は、画面２３１０の供給電力２３１１を表示する。
【００７９】
制御部２１００は同時に、受け取った電力量を電源制御部２６００に通知する。
電源制御部２６００は、通知された電力量の電力を充電した場合の状態を算出する。具体的には、電池情報記憶部２５００の情報２５１０を読出し、充電後の電力残量の割合と可能な待ち受け時間を求める。
【００８０】
例では、「４００ｍＡｈ」を充電すると、現在の電力残量が「２０％」、すなわち、「２００ｍＡｈ」であるから、充電後の電力残量は「２００ｍＡｈ＋４００ｍＡｈ＝６００ｍＡｈ」となる。従って、充電後の電力残量は、「６０％」、可能な待ち受け時間は「２４０時間」となる（図４（ａ）参照）。
【００８１】
このように、自機の電池の性能に合わせて充電後の状態を表示することにより、ユーザは供給される電力が充分か否かの判断をすることが容易となる。
【００８２】
充電後の状態を確認したユーザは、電力量が充分と判断すれが、ＯＫボタン２３１３を押下し、第１携帯電話機１０００に電力の供給開始を依頼する（ステップＳ２４０）。
ここで、電力量が不十分または多すぎると判断すれば、キャンセルボタン（図示していない）を押下し、第１携帯電話機１０００のユーザに、再度選択肢を選択してもらう（図３（ｂ）参照）。
【００８３】
第２携帯電話機２０００から、電力の供給開始の依頼を受けた第１携帯電話機１０００の電源制御部１６００は、充電用電源作成部１８００に電源の作成を開始するよう依頼する。依頼を受けた充電用電源作成部１８００は、自機の電池１０１０の電圧を昇圧し、電力移動接続部１９００とケーブル３０００を介して、第２携帯電話機２０００に電力を送出する（ステップＳ１５０）。すなわち、第２携帯電話機の端子に電圧をかける。
【００８４】
第２携帯電話機２０００では、電力移動接続部２９００と充電部２８００を介して、電池２０１０の端子に印加されることで、蓄電を行う（ステップＳ２５０）。充電用電源作成部１８００に電力の供給依頼をした電源制御部１６００は、所定の間隔ごとに、電力残量検出部１７００に電池の残量を検出するよう依頼する（ステップＳ１６０）。例えば、１秒の間隔で、電力残量をチェックする。
【００８５】
電源制御部１６００は、電力残量検出部１７００が検出する電力残量から供給した電力の量を求め、求めた電力量が供給予定の電力量に達した場合（ステップＳ１７０：ＹＥＳ）には、充電用電源作成部１８００に作成を中止する旨通知し、電力の供給を終了し、供給が終了した旨のメッセージを表示部１３００に表示する。また、第２携帯電話機２０００に対して、電力の供給が終了した旨通知し、電力移動システムを終了する（ステップＳ１８０）。
【００８６】
電力の供給が終了した旨の通知を受けた第２携帯電話機２０００は、充電が終了した旨のメッセージを表示部２３００に表示し、電力移動システムを終了する（ステップＳ２６０）。尚、第２携帯電話機１０００の電池２０１０が、満充電になった場合は、電力の移動を終了する。
【００８７】
＜補足＞
以上、本発明に係る電力移動システムについて実施形態に基づいて説明したが、このシステムを部分的に変形することもでき、本発明は上述の実施形態に限られないことは勿論である。即ち、（１）実施形態では、電力の移動量を指定して、その分の電力を移動することとしているが、供給する側が残したい電力量を設定して、または、充電される側が充電後の電力残量を設定して、電力を移動することとしてもよい。
【００８８】
この場合は、所定の時間間隔で、電力残量を検出し、目的の電力残量となった時点で、電力の移動を中止する。（２）実施形態では、電力の移動中の状態を通知することはしていないが、電力を供給する側と供給される側とが、定期的に通信し、電力残量を更新することとしてもよい。
【００８９】
（３）実施形態では、電力供給側は、すべての電力を供給できるものとしているが、電力残量が、一定値を下回った時点で終了することとしてもよい、
（４）実施形態では、電力の移動は、ケーブルを利用して行うこととしているが、無線で行ってもよい。
【００９０】
例えば、電磁誘導方法で、例えば、交流磁場を生成するなどを利用する。
無線で電力移動を行う場合は、ケーブルが不要であるという利点があり、一方、ケーブルを使用して電力移動を行う場合は、電力のロスが少ないという利点がある。
【００９１】
また、実施形態では、携帯電話機間の通信は、ケーブルを接続して行うこととしているが、無線であっても良い。例えば、Ｂｌｕｅｔｏｏｔｈや赤外線などを利用した通信であってもよい。
【００９２】
（５）実施形態では、電力を供給される側の電池の電圧は、予め一定の範囲内であることとしているが、予め定めておかなくてもよい。
【００９３】
例えば、供給される側の携帯電話機から供給する側の携帯電話機に、電圧に関する情報を送信し、その電圧情報に基づいて、供給する電源を作成することとしてもよい。
【００９４】
（６）実施形態では、携帯電話機間での電力移動を説明しているが、これに限られない。例えば、携帯電話機とＰＤＡ（Ｐｅｒｓｏｎａｌ  Ｄｉｇｉｔａｌ  Ａｓｓｉｓｔａｎｔｓ）、ＰＤＡ同士、携帯電話機と複数の機器などの間での電力移動も可能である。
【００９５】
（７）実施形態で示した携帯電話機の各機能を実現させる為の各制御処理（図２等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した携帯電話機の各機能が実現される。
【産業上の利用可能性】
【００９６】
内蔵電池で動作する、あらゆる携帯端末の充電方法として有用である。
【符号の説明】
【００９７】
１０００  第１携帯電話機
１００１、２００１  送受信部
１００２、２００２  マイク
１００３、２００３  スピーカ
１００４、２００４  着信報知部
１０１０、２０１０  電池
１１００、２１００  制御部
１２００、２２００  操作部
１３００、２３００  表示部
１３１０、２３１０  画面
１４００、２４００  外部通信部
１５００、２５００  電池情報記憶部
１５１０、２５１０  電池情報
１６００、２６００  電源制御部
１７００、２７００  電力残量検出部
１８００  充電用電源作成部
１９００、２９００  電力移動接続部
２０００  第２携帯電話機
２８００  充電部
３０００  ケーブル
【図１】
2010016849.tif 000003
【図２】
2010016849.tif 000004
【図３】
2010016849.tif 000005
【図４】
2010016849.tif 000006
【図５】
2010016849.tif 000007